(57)【要約】  【課題】  モーターを大型化することなく、シャッター羽根の揺動を高速化することのできるシャッターの開閉機構を採用したシャッター装置を提供する。  【解決手段】  ピボットによって揺動可能に取り付けられたシャッター羽根と、このシャッター羽根を開閉するシャッター開閉機構と、このシャッター開閉機構を駆動するモーターとを有するシャッター装置において、シャッター開閉機構が、モーターの回転軸に取り付けられた開閉アームと、開閉アームに設けられ、モーターの駆動力をシャッター羽根に伝達する駆動駒と、シャッター羽根に設けられ、駆動駒の駆動力を受けてシャッター羽根を揺動させる被動部とを有し、開閉アームに設けられた駆動駒が、シャッター羽根の揺動速度を制御するカムプロファイルを有することを特徴とするカメラモジュール用のシャッター装置によって達成される。【選択図】  図４
2010139877.tif 000002
【特許請求の範囲】
【請求項１】
ピボットによって揺動可能に取り付けられたシャッター羽根と、このシャッター羽根を開閉するシャッター開閉機構と、このシャッター開閉機構を駆動するモーターとを有するカメラモジュール用のシャッター装置において、
前記シャッター開閉機構が、前記モーターの回転軸に取り付けられた開閉アームと、この開閉アームに設けられ、前記モーターの駆動力を前記シャッター羽根に伝達する駆動駒と、前記シャッター羽根に設けられ、前記駆動駒の駆動力を受けて前記シャッター羽根を揺動させる被動部とを有し、
前記開閉アームに設けられた前記駆動駒が、前記シャッター羽根の揺動速度を制御するカムプロファイルを有することを特徴とするカメラモジュール用のシャッター装置。
【請求項２】
前記駆動駒の前記カムプロファイルが、前記モーターの回転軸に接近した位置に設けられた強力駆動部と、前記モーターの回転軸から離れた位置に設けられた高速揺動部とを有することを特徴とする請求項１に記載のカメラモジュール用のシャッター装置。
【請求項３】
前記カムプロファイルの前記強力駆動部が前記シャッター羽根の揺動開始位置の側で、前記高速揺動部が前記シャッター羽根の揺動終了位置の側で、前記シャッター羽根の前記被動部を駆動することを特徴とする請求項２に記載のカメラモジュール用のシャッター装置。
【請求項４】
前記カムプロファイルの前記シャッター羽根の揺動開始位置の側が前記シャッター羽根の開いた位置側であり、前記シャッター羽根の揺動終了位置の側が前記シャッター羽根の閉じる位置側であることを特徴とする請求項３に記載のカメラモジュール用のシャッター装置。
【請求項５】
前記カムプロファイルが、前記強力駆動部と前記高速揺動部との間に、前記強力駆動部と前記高速揺動部とを接続する中間部を有することを特徴とする請求項２ないし４に記載のカメラモジュール用のシャッター装置。
【請求項６】
前記カムプロファイルが、前記強力駆動部と前記高速揺動部との外側に、それぞれ遊び部を有することを特徴とする請求項２ないし５に記載のカメラモジュール用のシャッター装置。
【請求項７】
前記駆動駒が、前記モーターの回転軸と前記シャッター羽根の前記ピボットとの間に配置され、前記カムプロファイルの前記強力駆動部が前記モーターの回転軸に近い側に、前記高速揺動部が前記モーターの回転軸から遠い側に配置されていることを特徴とする請求項１ないし６に記載のカメラモジュール用のシャッター装置。
【請求項８】
前記シャッター羽根の被動部が、前記駆動駒を内嵌する透孔であることを特徴とする請求項１ないし７に記載のカメラモジュール用のシャッター装置。
【請求項９】
前記駆動駒と前記シャッター羽根の被動部を形成する透孔が、確動カムとそのフォロアーを構成していることを特徴とする請求項８に記載のカメラモジュール用のシャッター装置。
【請求項１０】
前記シャッター羽根が１枚のみで、この１枚のシャッター羽根でシャッターを開閉することを特徴とする請求項１ないし９に記載のカメラモジュール用のシャッター装置。
【発明の詳細な説明】
【技術分野】
【０００１】
本発明は、ピボットによって揺動可能に取り付けられたシャッター羽根と、このシャッター羽根を開閉するシャッター開閉機構と、このシャッター開閉機構を駆動するモーターとを有するカメラモジュール用のシャッター装置に関するものであり、特に、モーターの出力を大きくすることなくシャッター羽根の移動スピードを高速化することのできるシャッター開閉機構の改良に関するものである。
【背景技術】
【０００２】
ピボットに揺動可能に取り付けられたシャッター羽根を揺動させて光路を開閉させるシャッター装置は、各種のカメラモジュール用のシャッター装置として多用されている。これらのシャッター装置に使用されるシャッター開閉機構には各種の方式のものがあるが、シャッター羽根を揺動させる駆動源としてモーターを採用し、このモーターの回転軸に取り付けられた開閉レバーの駆動ピンでシャッターを開閉させる方式が、小型のカメラモジュール用のシャッター装置におけるシャッター開閉機構として多く採用されている。
【０００３】
携帯電話などの携帯機器に組み込まれるカメラモジュール用のシャッター装置などのような超小型のシャッター装置では、このような、ピボットに揺動可能に取り付けられたシャッター羽根を揺動させて光路を開閉させるシャッター装置が多く用いられている。これらのシャッター装置には、複数枚のシャッター羽根を有しており、この複数枚のシャッター羽根を同期して光路を開閉させるもの（例えば特許文献１）と、１枚のシャッター羽根のみによって光路を開閉させるもの（例えば特許文献２）とが存在する。
【０００４】
このような超小型のシャッター装置であっても、当然のことながら、露光面の全面にわたって鮮明で一様な明るさの画像が得られるものでなければならない。このためには、露光面の全面にわたって均一な露出時間とする必要があり、特許文献１に示すように、シャッター羽根の枚数や形状を工夫して露光面の全面が均一な露出となるように各種の努力をしている。
【０００５】
しかしながら、特許文献２に記載されているようなシャッター羽根が１枚のシャッター装置では、シャッター速度を変えないで、シャッター羽根の形状のみで露光面の全面を均一な露出とすることは非常に困難なので、露光面の全面を均一な露出とするためには、シャッター羽根の移動スピードを上げることがどうしても求められる。
【０００６】
シャッター羽根の移動スピードを上げるためには、モーターの出力を大きくするのが最も容易である。しかし、単にモーターの出力を大きくするだけではモーター自体が大きくなり、消費電力も大きくなるので、超小型のシャッター装置としては、スペースの点でも電池寿命の点でも好ましくない。
【０００７】
そこで、モーターの大きさを変えないでモーターの出力を大きくする試みが続けられているが、これには限度があり、また、モーターの出力を増加することは、電池の消耗が大きくなることにつながるので、依然として電池寿命の問題が残り、小型の携帯機器としては必ずしも好ましい解決手段ではない。このために、モーターの出力を変えないでシャッター羽根の移動スピードを上げることが求められている。
【０００８】
デジタルカメラの光路の開閉機構にはＣＭＯＳカメラ、ＣＣＤカメラなどに対応して各種のものが存在するが、本件発明に係るシャッター装置は、ＣＭＯＳカメラに使用するものであって、デジタルで画像の取り込みを開始し、シャッター羽根を閉じることによって光路を閉じて画像の取り込みを終了するものである。このため、高速で移動する被写体であっても画像にブレが生じることを防止するためには、シャッターボタンを押すことによって露光を開始し、所定の露出時間が経過した後に、シャター羽根が移動を開始してからシャッター羽根を閉じるまでの時間を最小にすることが必要であり、このために、シャッター羽根の移動スピードを上げることが求められている。
【０００９】
特許文献１には、２枚のシャッター羽根を同期して開閉するカメラ用シャッター装置が開示されている。この発明には、シャッター羽根の形状を工夫することによってティアドロップをなくし、露光面の全面を均一な露出とすることが開示されている。しかし、シャッター羽根が１枚のみのシャッターでは、この方法によって露光面の全面を均一な露出とすることはできない。
【００１０】
特許文献２には、シャッター羽根が１枚のカメラ用羽根駆動装置が開示されているが、この発明は、シャッター装置の小型化、薄型化を求めるものであって、露光面の全面を均一な露出とすること、特にシャッター速度の向上については検討されていない。
【００１１】
従来技術のカメラモジュール用のシャター装置におけるシャッター羽根の開閉機構の１例を図５に基づいて説明する。図５は、従来技術のシャッター装置におけるシャッター開閉機構を示すもので、デジタルで画像の取り込みを開始し、所定の露出時間後、シャッター羽根を、想像線で描かれた位置にあって光路が開いた状態からシャター羽根が実線で描かれた位置の光路が閉じた状態まで移動させて光路を閉じるものである。
【００１２】
この実施例におけるカメラモジュール用のシャッター装置３０のシャッター羽根３１を駆動するモーター３２は、シャッター装置３０を小型化するために設計された専用のものであって、コイル３２ａとコア３２ｂ及び開閉アーム３３の下側にあるので図示されていないローターとからなっており、ローターの軸に開閉アーム３３が固定されている。そして、シャッター羽根３１は、ピボット３４によって想像線の位置から実線の位置まで揺動するように揺動可能に支持されている。開閉アーム３３には、駆動ピン３５が設けられており、この駆動ピン３５が、シャッター羽根３１のピボット３４に接近して設けられた被動部である透孔３１ａに挿入されている。
【００１３】
このように構成されているシャッター装置３０は、モーター３２のロ−ターが回転角度αだけ回転することによって開閉アーム３３が時計回りに回転して、駆動ピン３５が想像線の位置から実線の位置まで移動することによって、シャッター羽根３１は、想像線で描かれたシャッターが開いた位置から、実線で描かれたシャッターが閉じた位置まで移動して光路を開閉させるものである。
【００１４】
この構造のシャッター開閉機構では、シャッターの移動速度を高速にすることは、開閉アーム３３の中心から駆動ピン３５までの距離を大きくし、或いは、シャッター羽根３１のピボット３４と駆動ピン３５までの距離を小さくして、シャッターが閉じるまでの開閉アーム３３の回転角度αを小さくすることによって達成できる。しかし、いずれも、モーター３２は、より大きなトルクを必要とすることとなる。
【００１５】
一方、モーター３２の出力するトルクには限度があるので、単に、開閉アーム３３の中心から駆動ピン３５までの距離を大きくし、或いは、シャッター羽根３１のピボット３４と駆動ピン３５までの距離を小さくしたのみでは、この限度を超えて、モーター３２の出力する最大トルクよりも大きなトルクを必要とすることになり、モーター３２に過負荷を与えることになる。
【００１６】
【特許文献１】特開平５−１３４２９０号公報
【特許文献２】特開２００５−１８９７１７号公報
【発明の開示】
【発明が解決しようとする課題】
【００１７】
本発明の目的は、上記の従来技術の問題点を解消して、モーターの出力が一定のトルクであっても、シャッター開閉の初期段階では大きなトルクでシャッター羽根を回転させ、シャッター羽根が回転し始めるとシャッター羽根を回転させるトルクを小さくして高速で回転するように構成して、モーターを大型化することなく、サイズを維持したままでシャッター羽根の揺動を高速化することのできるシャッターの開閉機構を採用したカメラモジュール用のシャッター装置を提供するものである。
【課題を解決するための手段】
【００１８】
上記課題を解決するために、本発明は、ピボットによって揺動可能に取り付けられたシャッター羽根と、このシャッター羽根を開閉するシャッター開閉機構と、このシャッター開閉機構を駆動するモーターとを有するカメラモジュール用のシャッター装置において、前記シャッター開閉機構が、前記モーターの回転軸に取り付けられた開閉アームと、この開閉アームに設けられ、前記モーターの駆動力を前記シャッター羽根に伝達する駆動駒と、前記シャッター羽根に設けられ、前記駆動駒の駆動力を受けて前記シャッター羽根を揺動させる被動部とを有し、前記開閉アームに設けられた前記駆動駒が、前記シャッター羽根の揺動速度を制御するカムプロファイルを有することを特徴とするカメラモジュール用のシャッター装置によって達成するものである。
【００１９】
ここで、前記駆動駒の前記カムプロファイルが、前記モーターの回転軸に接近した位置に設けられた強力駆動部と、前記モーターの回転軸から離れた位置に設けられた高速揺動部とを有することが望ましく、また、前記カムプロファイルの前記強力駆動部が前記シャッター羽根の揺動開始位置の側で、前記高速揺動部が前記シャッター羽根の揺動終了位置の側で、前記シャッター羽根の前記被動部を駆動することが望ましい。そして、前記カムプロファイルの前記シャッター羽根の揺動開始位置の側が前記シャッター羽根の開いた位置側であり、前記シャッター羽根の揺動終了位置の側が前記シャッター羽根の閉じる位置側であることが望ましい。
【００２０】
更に、前記カムプロファイルが、前記強力駆動部と前記高速揺動部との間に、前記強力駆動部と前記高速揺動部とを接続する中間部を有することが望ましく、前記カムプロファイルが、前記強力駆動部と前記高速揺動部との外側に、それぞれ遊び部を有することが望ましい。そして、前記駆動駒が、前記モーターの回転軸と前記シャッター羽根の前記ピボットとの間に配置され、前記カムプロファイルの前記強力駆動部が前記モーターの回転軸に近い側に、前記高速揺動部が前記モーターの回転軸から遠い側に配置されていることが望ましく、前記シャッター羽根の被動部が、前記駆動駒を内嵌する透孔であることが望ましい。更に、前記駆動駒と前記シャッター羽根の被動部を形成する透孔が、確動カムとそのフォロアーを構成していることが望ましく、前記シャッター羽根が１枚のみで、この１枚のシャッター羽根でシャッターを開閉することが望ましい。
【発明の効果】
【００２１】
本発明のカメラモジュール用のシャッター装置は、上記のように構成されているので、開閉アームに設けられた駆動駒のカムプロファイルを所要の形状にすることによって、シャッター羽根に加えるトルクを任意に設定することが可能になり、例えば、大きなトルクを必要とするシャッター羽根の揺動開始時には、駆動駒がモーターの回転軸に接近した位置にある強力駆動部でシャッター羽根を駆動して大きなトルクをシャッター羽根に与えることができ、揺動開始後は、駆動駒がモーターの回転軸から離れた位置にある高速揺動部でシャッター羽根を駆動するので、モーターを大型化することなく、サイズを維持したままでシャッター羽根の揺動を高速化することのできるシャッターの開閉機構を採用したカメラモジュール用のシャッター装置を提供することができる。
【００２２】
更に、駆動駒のカムプロファイルの強力駆動部と高速揺動部との間に、強力駆動部と高速揺動部とを接続する中間部を設けることによって、強力駆動部から高速揺動部にスムーズに移行することができ、高速揺動部と強力駆動部との外側にそれぞれ遊び部を設けることによって、モーターの回転がわずかにオーバーランしても支障のないシャッター開閉機構とすることができる。
【００２３】
また、駆動駒が、モーターの回転軸とシャッター羽根のピボットとの間に配置され、シャッター羽根の被動部を透孔として、この透孔に駆動駒を内嵌することによって、簡便な構造で、且つ確実な動作を行うことができる。そして、このシャッター開閉機構は、シャッター羽根が１枚のみであって、この１枚のみのシャッター羽根でシャッターを開閉するシャッター装置に好適に採用することができる。
【発明を実施するための最良の形態】
【００２４】
以下、本発明を、最良の実施形態を示す図面に基づいて説明する。図１は本発明のカメラモジュール用のシャッター装置の実施形態を示す分解斜視図、図２はシャッター羽根が閉じた状態の同シャッター装置の要部を示す平面図、図３はシャッター羽根が開いた状態の同シャッター装置の要部を示す平面図、図４は開閉レバーと駆動駒の形状を示す平面図である。
【００２５】
本発明のシャッター装置１は、図１に示すように、フレーム２の内側にプレート３が配置されており、フレーム２の下側にモーター４が取り付けられている。フレーム２は、シャッター装置１全体の支持板と外枠とを構成する基板であり、シャッター装置１の光路となる光路孔２ａが開口している。また、プレート３は、フレーム２とシャッター羽根５との間に配置されていて、シャッター羽根５を支え、不要な光をカットするものであって、シャッター装置１の光路となる光路孔３ａを有しており、この光路孔３ａをシャッター羽根５の円板部５ａで開閉することによってシャッター装置１の光路を開閉する構成となっている。
【００２６】
シャッター羽根５を揺動させて光路３ａを開閉する駆動源となるモーター４は、コイル４ａとコア４ｂ、ローター４ｃからなっており、このローター４ｃの軸（回転軸）が、フレーム２に設けられた透孔２ｂとプレート３に設けられた透孔３ｂとを貫通してプレート３の上面まで突出しており、プレート３の上面で、ローター４ｃの軸（回転軸）に固定された開閉アーム６の駆動駒７が、シャッター羽根５の被動部である透孔５ｃに挿通されている。
【００２７】
一方、シャッター羽根５は、プレート３の上面でピボット８に揺動可能に取り付けられている。即ち、フレーム２に設けられたピボット８は、プレート３に設けられた小孔３ｃを貫通してプレート３の上面まで突出しており、プレート３の上面で、シャッター羽根５のピボット孔５ｂに貫入されている。
【００２８】
図２及び図３は、この実施例のシャッター装置１の要部を示す平面図であり、図２はシャッターが閉じた状態を示し、図３はシャッターが開いた状態を示す図である。なお、これらの図では、各部の構成をより明瞭に示すために、フレーム２とプレート３の図示を省略して、シャッター開閉機構のみを中心にして図示している。
【００２９】
図から明らかなように、この実施例のシャッター装置１は、ピボット８によって揺動可能に取り付けられたシャッター羽根５と、このシャッター羽根５を開閉する開閉レバー６や駆動駒７などからなるシャッター開閉機構と、このシャッター開閉機構を駆動するモーター４とを有する構成となっている。
【００３０】
そして、図２ないし図４に詳細に示すように、このシャッター開閉機構は、モーター４の回転軸に取り付けられた開閉アーム６と、この開閉アーム６に設けられ、モーター４の駆動力をシャッター羽根５に伝達する駆動駒７と、シャッター羽根５に透孔５ｃとして形成された被動部とを有し、モーター４の回転による駆動駒７の駆動力を受けてシャッター羽根５を揺動させるものである。そして、この実施例では、駆動駒７が、モーター４の回転軸とシャッター羽根５のピボット８との間に配置されている。
【００３１】
このシャッター装置１は、このように構成されているので、図３に示すシャッターが開いた状態から、モーター４が始動して開閉アーム６が時計回りに回転すると、シャッター羽根５の被動部である透孔５ｃに貫入している駆動駒７によって、シャッター羽根５がピボット８を中心にして反時計回りに揺動させられ、図２に示すシャッターが閉じた状態に移動する。
【００３２】
開閉アーム６に設けられた駆動駒７は、図４に示すように、シャッター羽根５の揺動速度を制御するカムプロファイルを有している。即ち、モーター４の回転軸に接近した位置に設けられた強力駆動部７ａと、モーターの回転軸４から離れた位置に設けられた高速揺動部７ｂとを有する形状をしている。
【００３３】
この駆動駒７の形状は、駆動駒７の右側に描かれた部分が、シャッター羽根５の被動部５ｃを駆動するカムプロファイルとなっており、モーター４の回転軸に最も接近した位置から徐々に離れた位置に移動する強力駆動部７ａと、モーターの回転軸４から充分に離れた位置に設けられた高速揺動部７ｂとを有しており、強力駆動部７ａと高速揺動部７ｂとの間には、強力駆動部７ａと高速揺動部７ｂとを接続する中間部７ｃが形成されていて、その外側に、それぞれ遊び部７ｄ、７ｅが配置されている。
【００３４】
この実施例のシャッター装置１では、駆動駒７がモーター４の回転軸（ローター４ｃ）とシャッター羽根５のピボット８との間に配置されているので、駆動駒７とシャッター羽根５の透孔５ｃとの接触点（力点）が、モーター４の回転軸に近く、或いは、シャッター羽根５のピボット８から離れているときには、大きなトルクでシャッター羽根５を揺動させることができ、力点が、モーター４の回転軸から離れており、或いは、シャッター羽根５のピボット８に接近しているときには、駆動するトルクは小さいが高速でシャッター羽根５を揺動させることができる。
【００３５】
駆動駒７の強力駆動部７ａでは、駆動駒７とシャッター羽根５の透孔５ｃとの力点が、モーター４の回転軸に最も接近した位置から徐々に離れた位置に移動し、シャッター羽根５のピボット８から最も離れている位置から徐々に接近した位置に移動するので、シャッター羽根５を最大のトルクで始動し、動きはじめると徐々にトルクを減少させることができる。
【００３６】
そして、中間部７ｃを経由して、高速移動部７ｂに移動すると、力点は、モーター４の回転軸から離れた位置で、シャッター羽根５のピボット８に接近している位置に移動するので、駆動するトルクは小さいが高速でシャッター羽根５を揺動させることができる。
【００３７】
この駆動軸７のカムプロファイルは、モーター４の出力するトルクと、シャッター羽根５の望ましい移動スピードを最大限満足するように、強力駆動部７ａと高速移動部７ｂとの形状を自由に設定することができる。また、中間部７ｃは、揺動を開始して慣性が生じたシャッター羽根５を高速移動部７ｂに移行させる中間経路であり、直線にして瞬時に移行するようにしても良く、或いは、曲線にして緩やかに移行するようにしても良い。
【００３８】
また、駆動駒７の左側に描かれたプロファイルは、駆動駒７とシャッター羽根５の透孔５ｃとの間に隙間を生じさせないためのバックアップ部７ｆであり、シャッター羽根５の透孔５ｃに貫入した状態で開閉アーム６が回転したときに、駆動駒７とシャッター羽根５の透孔５ｃとが確動カムとなって作動するように、駆動駒７と被動部５ｃの透孔との間に隙間が生じない形状となっている。そして、確動カムとすることで、シャッターが閉じた際のシャッター羽根５の跳ねかえりを防止することができる。
【００３９】
このカムプロファイルの強力駆動部７ａは、図３に示すように、シャッター羽根５の揺動開始位置の側であり、開閉アーム６の中心に近い位置で、且つピボット８から離れた位置でシャッター羽根５の透孔５ｃ（被動部）を駆動する。一方、高速揺動部７ｂは、図２に示すように、シャッター羽根５の揺動終了位置の側であり、開閉アーム６の中心から遠い位置で、且つピボット８に近い位置でシャッター羽根５の透孔（被動部５ｃ）を駆動する。
【００４０】
そして、図３から明らかなように、カムプロファイルのシャッター羽根５の揺動開始位置の側がシャッター羽根５の開いた位置側であり、図２から明らかなように、シャッター羽根５の揺動終了位置の側がシャッター羽根５の開いた位置側となる。
【００４１】
本発明のシャッター開閉機構は、このように構成されているので、図３に示す揺動開始位置では、カムプロファイルの強力駆動部７ａが、開閉アーム６の中心に近い位置で且つピボット８から離れた位置でシャッター羽根５の透孔５ｃ（被動部）を駆動するので、シャッター羽根５の搖動する角度は小さくなるが、大きなトルクでシャッター羽根５の搖動を開始させることができる。
【００４２】
そして、一旦モーター４が始動して揺動が開始すると、加速されたシャッター羽根５はより小さなトルクで揺動することが可能となるので、駆動駒７が開閉アーム６の中心から遠い位置で且つシャッター羽根５のピボット８に近い位置にある高速揺動部７ｂで透孔５ｃを押圧して、シャッター羽根５を小さなトルクで高速で揺動させることができる。中間部７ｃは、このカムプロファイルの強力駆動部７ａから高速揺動部７ｂに接続する中間経路である。
【００４３】
このカムプロファイルには、強力駆動部７ａと高速揺動部７ｂとの外側に遊び部７ｄ、７ｅが設けられている。この遊び部７ｄ、７ｅを設けることによって、開閉レバー６の始動位置や停止位置に多少のバラツキがあっても支障が生じないようにすることができる。また、駆動駒７の左側のプロファイルは、開閉レバー６の駆動駒７とシャッター羽根５の透孔５ｃとの間に隙間が生じない形状となっているので、駆動駒７のカムプロファイルと透孔５ｃが確動カムとなって作動し、シャッター羽根５が高速で揺動しても、シャッター羽根５の跳ねかえりなどが生じない。
【００４４】
尚、この実施例では、シャッター羽根５が１枚のみで、この１枚のシャッター羽根５でシャッターを開閉するように構成されているが、シャッター羽根５は１枚に限定されるものではなく、同じ構造のシャッターの開閉機構を複数個、放射状に配置することで、任意の数のシャッター羽根を有するシャッター装置に適用することができる。勿論、シャッター羽根の形状は、シャッター羽根の個数によって、任意の形状を採用することができる。
【００４５】
従って、本発明によれば、開閉レバーに設けられた駆動駒のカムプロファイルを所要の形状にすることによって、シャッター羽根に加えるトルクを任意に設定することが可能になり、例えば、大きなトルクを必要とするシャッター羽根の揺動開始時には、駆動駒がモーターの回転軸に接近した位置にある強力駆動部でシャッター羽根を駆動して大きなトルクをシャッター羽根に与えることができ、揺動開始後は、駆動駒がモーターの回転軸から離れた位置にある高速揺動部でシャッター羽根を駆動するので、モーターを大型化することなく、シャッター羽根の揺動を高速化することのできるシャッターの開閉機構を採用したカメラモジュール用のシャッター装置を提供することができる。
【００４６】
更に、駆動駒のカムプロファイルの強力駆動部と高速揺動部との間に、強力駆動部と高速揺動部とを接続する中間部を設けることによって、強力駆動部から高速揺動部にスムーズに移行することができ、高速揺動部と強力駆動部との外側にそれぞれ遊び部を配置することによって、モーターの回転がオーバーランしても支障のないシャッター開閉機構とすることができる。そして、駆動駒が、モーターの回転軸とシャッター羽根のピボットとの間に配置され、シャッター羽根の被動部が、駆動駒を内嵌する透孔とすることによって、簡便な構造で、且つ確実な動作を行うことができる。更に、同じ構造のシャッターの開閉機構を複数個、放射状に配置することで、任意の数のシャッター羽根を有するシャッター装置に適用することができる。
【図面の簡単な説明】
【００４７】
【図１】本発明のカメラモジュール用のシャッター装置の実施形態を示す分解斜視図である。
【図２】シャッター羽根が閉じた状態の図１のシャッター装置の要部を示す平面図である。
【図３】シャッター羽根が開いた状態の図１のシャッター装置の要部を示す平面図である。
【図４】開閉レバーと駆動駒の形状を示す平面図である。
【図５】従来技術のシャッター装置における光路の開閉機構を示す図である。
【符号の説明】
【００４８】
１  シャッター装置
２  フレーム
２ａ  光路孔
２ｂ  透孔
３  プレート
３ａ  光路孔
３ｂ  透孔
３ｃ  小孔
４  モーター
４ａ  コイル
４ｂ  コア
４ｃ  ローター
５  シャッター羽根
５ａ  円板部
５ｂ  ピボット孔
５ｃ  透孔（被動部）
６  開閉アーム
７  駆動駒
７ａ  強力駆動部
７ｂ  高速揺動部
７ｃ  中間部
７ｄ、７ｅ  遊び部
７ｆ  バックアップ部
８  ピボット
【図１】
2010139877.tif 000003
【図２】
2010139877.tif 000004
【図３】
2010139877.tif 000005
【図４】
2010139877.tif 000006
【図５】
2010139877.tif 000007